(57)【特許請求の範囲】
【請求項１】
限定された第１のシステム情報を報知する手段と、
在圏する移動局装置との通信確立に必要な第２のシステム情報を送信する手段と、
前記第１のシステム情報の報知と、前記第２のシステム情報の送信との間の切り換えを制御する手段と、
を備え、
前記制御手段は、前記第１のシステム情報を受信した移動局から送信される在圏通知に応じて、前記第１のシステム情報の報知から前記第２のシステム情報の送信へ移行させ、前記第２のシステム情報を、前記在圏通知を行なった移動局に対して個別制御チャネルで送信させることを特徴とする基地局装置。
【請求項２】
請求項１に記載の基地局装置において、
前記移動局からの前記在圏通知を、１つの周波数ブロックと１つのサブフレームによって区画された既定のリソースブロックで受信する受信手段、
をさらに備えたことを特徴とする基地局装置。
【請求項３】
請求項１または２に記載の基地局装置において、
上記移動局装置が、当該基地局装置に接続する権限を有するか否かを確認する手段、
をさらに備えたことを特徴とする基地局装置。
【請求項４】
請求項１〜３のいずれかに記載の基地局装置において、
前記第１のシステム情報を受信した前記移動局装置からの在圏通知として、前記移動局装置からのランダムアクセスを検出、処理する手段、
をさらに備えたことを特徴とする基地局装置。
【請求項５】
請求項４に記載の基地局装置において、
前記ランダムアクセス検出処理手段は、前記移動局装置から送信される在圏通知用に特化した既定のランダムアクセスパラメータを検出し、
前記第１のシステム情報報知手段は、前記第１のシステム情報にランダムアクセスパラメータを含めないことを特徴とする基地局装置。
【請求項６】
基地局装置が送信する限定された第１のシステム情報を受信する手段と、
前記第１のシステム情報の受信に応じて、前記基地局装置に対するシステム情報の切り換え通知を行う手段と、
を備え、
前記受信手段は、前記切り換え通知に応じて前記基地局装置から送られてくる第２のシステム情報を個別制御チャネルで受信することを特徴とする移動局装置。
【請求項７】
請求項６に記載の基地局装置において、
前記通知手段は、前記システム情報の切り換え通知を、１つの周波数ブロックと１つのサブフレームによって区画された既定のリソースブロックで送信することを特徴とする移動局装置。
【請求項８】
請求項６又は７に記載の移動局装置において、
自装置が前記基地局装置に接続する権限を有するか否かを確認する手段、
をさらに備えたことを特徴とする移動局装置。
【請求項９】
請求項６〜８のいずれかに記載の移動局装置において、
前記システム情報の切り換え通知として、前記前記基地局装置に対する在圏通知を生成する手段、
をさらに有することを特徴とする移動局装置。
【請求項１０】
請求項９に記載の移動局装置において、
前記在圏通知手段は、ランダムアクセスにより在圏通知を行う手段であることを特徴とする移動局装置。
【請求項１１】
請求項１０に記載の移動局装置において、
ランダムアクセスにより在圏通知を行う手段は、前記在圏通知用に特化した既定のランダムアクセスパラメータでランダムアクセスを行うことを特徴とする移動局装置。
【請求項１２】
基地局装置において、限定した第１のシステム情報を報知する工程と、
前記基地局装置において、当該基地局装置のエリア内に在圏する移動局装置との間の通信確立に必要な第２のシステム情報の送信への切り換えの要否を判断する工程と、
前記移動局装置において、前記在圏前に、前記第１のシステム情報を受信する工程と、
前記移動局装置において、前記第１のシステム情報の受信に応じて、前記基地局装置にシステム情報の切り換え通知を送信する工程と、
前記基地局において、前記システム切り換え通知に応じて、前記第２のシステム情報を前記移動局に個別制御チャネルで送信する工程と、
を含むことを特徴とするシステム情報送信方法。
【請求項１３】
前記システム切り換え通知は、１つの周波数ブロックと１つのサブフレームによって区画された既定のリソースブロックで送信されることを特徴とする請求項１２に記載のシステム情報送信方法。
【請求項１４】
請求項１３に記載のシステム情報送信方法において、
移動局からのシステム情報切り替え通知の送信は、前記既定のリソースブロックを用いて前記基地局装置に対する在圏通知の送信により行い、
前記基地局装置において、上記移動局装置からの在圏通知に応じて、前記第２のシステム情報の送信に切り替えることを特徴とするシステム情報送信方法。
【請求項１５】
請求項１２〜１４のいずれか記載のシステム情報送信方法において、
上記基地局装置と前記移動局装置の少なくとも一方において、前記移動局装置が前記基地局装置に接続する権限を有するか否かを確認する工程、
をさらに含むことを特徴とするシステム情報送信方法。
【請求項１６】
請求項１２〜１５のいずれかに記載のシステム情報送信方法において、
前記移動局装置において、在圏通知用に特化した既定のランダムアクセスパラメータで前記基地局に対してランダムアクセスを行う工程、
をさらに含み、前記第１のシステム情報報知工程において、前記基地局装置はランダムアクセスパラメータを報知しないことを特徴とするシステム情報送信方法。
【発明の詳細な説明】
【技術分野】
【０００１】
本発明は、移動通信システムにおける基地局装置、移動局装置、及びシステム情報送信方法に関し、所定範囲のエリアに設置されて移動通信システムを構築する基地局装置、移動局装置と、システム情報送信方法に関する。
【背景技術】
【０００２】
移動通信システムにおける公衆通信向け基地局は、不規則に発生する不特定多数のユーザからの接続要求に応えるために、周期的にシステム情報を報知している。近年３ＧＰＰで標準化活動が行われているＬＴＥ（Long Term Evolution）において，システム情報はＢＣＨ（Broadcast Channel）もしくはＤＬ−ＳＣＨ（Downlink Shared Channel）で報知される（たとえば、非特許文献１を参照）。ＢＣＨで報知されるシステム情報は、ＭＩＢ（Master Information Block）と呼ばれるシステム情報ブロック（ＳＩＢ：System Information Block）に含まれる。ＭＩＢの情報要素としては、以下のものが挙げられる。
・物理レイヤパラメータ（下りリンクシステム帯域幅、基地局送信アンテナ数、参照信号（ＲＳ：Reference-Signal）送信電力等）
・システムフレーム番号（ＳＦＮ：System Frame Number）
・ＳＵ−１（Scheduling Unit-1）のスケジューリング情報
・セル再選択とハンドオーバ関連パラメータ（オフセット値等）
・バリュータグ（Value tag）
上記以外のシステム情報については、ＤＬ−ＳＣＨで送信される。上記の情報要素のうち、ＳＵ−１は、移動局が基地局にアクセスするために必要な情報や他のシステム情報のスケジューリングに関する情報を含んでおり、８０ｍｓ周期で固定的にスケジューリングされる。ＳＵ−１で送信される情報の例として、
・ＰＬＭＮ  ＩＤ（Public Land Mobile Network Identifier）
・位置登録エリアＩＤ（ＴＡ  ＩＤ：Tracking Area Identifier）
・セルＩＤ（Cell ID：Cell Identifier）
・セルアクセス規制状態（Cell barring status）
・他のＳＵ（Scheduling Unit）のスケジューリング情報
・各ＳＩＢのＳＵへの配置情報
があり、その他にもランダムアクセスに関わるパラメータや、コアネットワークに関わるパラメータ等、多くのシステム情報が基地局から周期的に送信されている。
【０００３】
ところで、近年、会議、イベント等の会場や、家庭内などの小規模なエリアに設置されるホーム基地局（ＨＮＢ：Home eNodeB）が検討されている（たとえば、非特許文献２を参照）。従来の基地局では、接続可能なユーザについて制限がない運用が採用されていたが、ホーム基地局では、従来の運用に加えて、一定加入者グループ（ＣＳＧ：Closed Subscriber Group）のみに接続ユーザを制限した運用が検討されている。また、家庭等への設置も予定されているため、設置されるホーム基地局の数は、膨大になると予想されている。これらの点でホーム基地局は従来の公衆通信向け基地局とは異なるが、これに対応したシステム情報の送信方法は検討されていない。
【非特許文献１】3GPP TS 36.300 V8.1.0 (http://www.3gpp.org/ftp/Specs/html-info/36300.htm)
【非特許文献２】3GPP TSG RAN #35 RP-070209 Lemesos, Cyprus, 6-9 March 2007(http://www.3gpp.org/ftp/tsg_ran/TSG_RAN/TSGR_35/Docs/)
【発明の開示】
【発明が解決しようとする課題】
【０００４】
上述したように、従来の基地局は、不規則に発生する不特定多数のユーザからの接続要求に応えるために、システム情報を周期的に報知し続けている。しかし、ホーム基地局については次のような問題点が考えられる。
（１）ホーム基地局では、従来の接続可能なユーザの制限がない運用に加えて、ＣＳＧのみに接続ユーザを制限した運用が検討されている。このとき、ＣＳＧのユーザが近傍にいないホーム基地局からのシステム情報の送信は無駄になる。
（２）上記のような状態は電力の浪費となるだけでなく、ＣＳＧのユーザの非接続時にも基地局から報知されるシステム情報の信号によって他セルとの間で干渉を招く。干渉により、ＣＳＧ以外のユーザに通信品質劣化が生じる。また、干渉により、上記のＣＳＧ向けの基地局とは無関係の基地局に通信容量劣化が生じる。
（３）ＣＳＧ向けの基地局は多数の設置（例えば、１家族あたりに１つの基地局）が予測されており、上記の弊害は無視できない大きな問題となる。
【０００５】
本発明は上記の従来の問題点に鑑み提案されたものであり、その目的とするところは、一定範囲の小規模エリアに設置される基地局と、これにアクセスする特定の移動局で構成されるシステムにおいて、電力消費や周囲に与える干渉の影響を低減することのできる基地局構成、移動局構成、および、システム情報送信方法を提供することにある。
【課題を解決するための手段】
【０００６】
上記の課題を解決するため、本発明の第１の側面では、基地局装置は、
（ａ）限定された第１のシステム情報を報知する手段と、
（ｂ）在圏する移動局装置との通信確立に必要な第２のシステム情報を送信する手段と、
（ｃ）前記第１のシステム情報の報知と、前記第２のシステム情報の送信との間の切り換えを制御する手段と、
を備える。
【０００７】
第２の側面では、移動局装置は、
（ａ）基地局装置が送信する限定された第１のシステム情報を受信する手段と、
（ｂ）前記第１のシステム情報の受信に応じて、前記基地局装置に対するシステム情報の切り換え通知を行う手段と、
を備える。
【０００８】
移動局装置は、前記切り換え通知に応じて前記基地局装置から送られてくる第２のシステム情報をさらに受信する。ひとつの構成例では、移動局装置は、前記第２のシステム情報を個別制御チャネルで受信する。
【０００９】
第３の側面では、システム情報送信方法は、
（ａ）基地局装置において、限定した第１のシステム情報を報知する工程と、
（ｂ）前記基地局装置において、当該基地局装置のエリア内に在圏する移動局装置との間の通信確立に必要な第２のシステム情報の送信への切り換えの要否を判断する工程と、
（ｃ）前記判断結果に応じて、前記第２のシステム情報を送信する工程と、
を含む。
【発明の効果】
【００１０】
本発明の基地局装置、移動局装置、および、システム情報送信方法にあっては、ホーム基地局の電力消費や周囲に与える干渉の影響を低減することができる。
【発明を実施するための最良の形態】
【００１１】
以下、本発明の好適な実施形態につき説明する。
【００１２】
＜第１の実施例＞
第１の実施例では、移動局がホーム基地局に在圏する前の段階では、ホーム基地局は、移動局がこのホーム基地局に在圏する上で必要なシステム情報のみを報知する。そして、移動局がホーム基地局に在圏した後、ホーム基地局は、一般的な移動通信システムと同じシステム情報を報知する。
【００１３】
図１及び図２は、第１の実施例におけるホーム基地局１と移動局２の構成例をそれぞれ示す図である。
【００１４】
図１において、ホーム基地局１は、参照信号生成部１１、同期信号生成部１２、送信部１３、受信部１４、ランダムアクセス処理部１５、システム情報送信モード制御部１６、ＲＲＣ制御部１７、接続権判定部１８、及びシステム情報生成部１９を有する。システム情報生成部１９は、限定されたシステム情報（第１のシステム情報）を生成する第１システム情報生成部１９ａと、在圏する移動局２との間の通信に必要な一般的なシステム情報（第２のシステム情報）を生成する第２システム情報生成部１９ｂを含む。
【００１５】
参照信号生成部１１は、移動局２にとって既知である参照信号を生成する。この参照信号は、移動局２が基地局１からの信号の品質を測定するときや、移動局２の伝搬路推定において用いられる。移動局２での基地局からの信号の品質測定や、移動局２の伝搬路推定は、この種の移動通信システムで用いられる一般的な方法によって行われる。
【００１６】
同期信号生成部１２は、移動局２がホーム基地局１と同期を取る際に利用する同期信号を生成する。同期は、この種の移動通信システムで用いられる一般的な方法によって、移動局２とホーム基地局１の間で取られる。
【００１７】
送信部１３は、参照信号や同期信号、システム情報や移動局へのデータ、ランダムアクセス応答、ＲＲＣメッセージ等を移動局へ送信する。送信部１３はまた、ランダムアクセス処理部１５から供給されるランダムアクセス応答や、ＲＲＣ制御部１７から供給されるＲＲＣメッセージを、移動局２に送信する。また、システム情報生成部１９から供給されるシステム情報等を、報知する。
【００１８】
受信部１４は、移動局２からランダムアクセスプリアンブルを受信して、ランダムアクセス処理部１５へ転送する。また、受信部１４は、移動局２からＲＲＣメッセージを受信すると、ＲＲＣ制御部１７へ転送し、移動局２が送信するシステム情報受信応答（ＡＣＫ）を受信して、システム情報送信モード制御部１６へ転送する。
【００１９】
ランダムアクセス処理部１５は、受信部１４から受け取ったランダムアクセスプリアンブルを検出して処理する。ランダムアクセス処理部１５は、システム情報送信モード制御部１６から、システム情報送信モードに関する情報を取得する。実施例では、システム情報送信モードとして、待機モードと通常モードを定義する。待機モードとは、制限された加入者グループであるＣＳＧ（Closed Subscriber Group）に属している移動局２、すなわちホーム基地局２に接続する権限のある移動局２がホーム基地局１に在圏していない場合のシステム情報送信モードである。通常モードとは、ＣＳＧに属している移動局２がホーム基地局に在圏している場合のシステム情報送信モードである。
【００２０】
一般的に移動通信システムにおいて、基地局は、移動局が在圏しているかどうかの情報を保持していない。そこで、実施例では移動局２がランダムアクセスを行うことによって、ホーム基地局１に対してその在圏を通知する。このとき、移動局２に既定のパラメータでランダムアクセスを行わせることによって、ホーム基地局１は、ランダムアクセスパラメータに関するシステム情報の報知量を低減できる。また、ランダムアクセス処理部１５は、待機モードにおいて、既定のパラメータのランダムアクセスプリアンブル系列の検出のみを行えばよいため、検出処理が簡易になる。
【００２１】
ランダムアクセス処理部１５は、待機モードにおいて、既定のパラメータのランダムアクセスプリアンブル系列を検出した場合には、システム情報送信モード制御部１６に、その検出を報告する。一方、通常モードでは、この種の移動通信システムで用いられる一般的な方法によって、ランダムアクセスプリアンブルの検出を行う。ランダムアクセス処理部１５は、システム情報送信モードが待機モード、通常モードのいずれであっても、ランダムアクセスプリアンブルを検出したら、ランダムアクセス応答を生成して、送信部１３へ供給する。
【００２２】
ランダムアクセスパラメータの既定値の設定の仕方については、ホーム基地局１と移動局２の動作シーケンスと関連して、後述する。
【００２３】
システム情報送信モード制御部１６は、システム情報送信モードを制御する。具体的には、システム情報送信モード制御部１６は、待機モードと通常モードの間の状態を遷移させ、ランダムアクセス処理部１５とシステム情報生成部１９に、システム情報送信モードの情報を提供する。
【００２４】
システム情報送信モード制御部１６は、ランダムアクセス処理部１５から在圏通知用のランダムアクセスプリアンブルが検出された旨の報告を受けたときに、システム情報送信モードが待機モードにあれば、システム情報送信モードを通常モードへ変更する。あるいは、ＲＲＣ制御部１７からＲＲＣ接続要求を受けた後に、システム情報送信モードを変更してもよい。ＲＲＣ接続要求には、接続要求の理由を表わす情報要素であるESTABLISHMENT_CAUSEが含まれている。システム情報送信モード制御部１７は、ＲＲＣ制御部１７で検出されたＲＲＣ接続要求のESTABLISHMENT_CAUSEがシステム情報要求であり、かつ、接続権判定部１８において移動局２がＣＳＧに含まれると判定された場合に、システム情報送信モードを待機モードから通常モードへ変更する。また、移動局２がホーム基地局１と関連する位置登録エリアや関連する従来基地局のカバーエリアへ侵入したことを上位ノードがホーム基地局１へ通知して、それを契機に通常モードへ移行してもよい。
【００２５】
移動局２がＲＲＣ接続要求を送信する構成例と、移動局２がＲＲＣ接続要求を送信しない構成例があり得るが、上記の構成を採用することで、ＲＲＣ接続要求を送信する構成例においても、ＣＳＧ以外の移動局からのランダムアクセスによってシステム情報送信モードが変更されるのを防ぐことができる。
【００２６】
逆に、通常モードから待機モードへの変更は、システム情報送信モード制御部１６が受信部１４からシステム情報受信応答を受け取った場合に行う。たとえば、移動局２においてシステム情報が正常に受信されたことを示すＡＲＱ（auto repeat request）やHybrid ＡＲＱにおけるＡＣＫを移動局２から受信した後に、システム情報送信モードを通常モードから待機モードへ変更してもよい。さらに別の方法として、ＡＣＫ等の受信応答を用いずに、通常モードになってから一定時間経過後に待機モードに戻る構成や、ＢＣＨやＳＵを一定回数送信した後に、通常モードから待機モードに戻る構成も可能である。さらに、移動局２がホーム基地局１と関連のない位置登録エリアや関連のない従来基地局のカバーエリアへ侵入したことを上位ノードがホーム基地局１へ通知して、それを契機に待機モードへ移行してもよい。
【００２７】
ホーム基地局１のＲＲＣ制御部１７は、ＲＲＣメッセージを処理し、接続権判定部１８は、そのＲＲＣメッセージを送信してきた移動局２が、接続権限を有するか否かを判定する。ＲＲＣ制御部１７は、ＲＲＣ接続要求のESTABLISHMENT_CAUSEがシステム情報要求である場合には、その旨をシステム情報送信モード制御部１６へ報告する。また、ＲＲＣ制御部１７は、ＲＲＣ接続要求を受信部１４から受け取ったら、ＲＲＣ接続要求に含まれる移動局ＩＤを接続権判定部１８へ送信する。
【００２８】
接続権判定部１８は、ＲＲＣ制御部１７から受信した移動局ＩＤに基づき、接続が許可されたグループ内の移動局ＩＤを記憶したＣＳＧデータベース１８ａを参照して、移動局２がＣＳＧに含まれるかを判定する。接続権判定部１８は、ＣＳＧか否かの判定結果を、ＲＲＣ制御部１７とシステム情報送信モード制御部１６へ送信する。この接続権判定部１８は、ホーム基地局１の上位ノードに配置されてもよい。
【００２９】
ＲＲＣ制御部１７は、移動局２がＣＳＧである場合には、ＲＲＣ競合解決メッセージを生成して送信部１３へ送信する。ＲＲＣ制御部１７は、システム情報送信モード制御部１６からシステム情報送信モードの待機モードへの移行の通知を受け取ったら、ＲＲＣ接続解放メッセージを生成して、送信部１３へ供給する。受信部１４からＲＲＣ接続解放完了メッセージを受け取った場合は、ＲＲＣ接続を解放する。
【００３０】
システム情報生成部１９は、システム情報送信モード制御部１６からシステム情報送信モードを取得し、種々のシステム情報を生成する。システム情報生成部１９は、システム情報送信モードが待機モードである場合には、ＢＣＨ（Broadcast Channel）と、スケジューリング情報としてのＳＵ−１（Scheduling Unit-1）を生成する。待機モードで生成されるＢＣＨ、ＳＵ−１を第１のシステム情報とする。
【００３１】
一般的なＬＴＥのスケジューリングユニットＳＵ−１は、ＰＬＭＮ  ＩＤ、位置登録エリアＩＤ、セルＩＤ、セルアクセス規制状態（Cell barring status）、他のＳＵ（Scheduling Unit）のスケジューリング情報、各システム情報ブロック（ＳＩＢ：System Information Block）のＳＵへの配置情報、等を含んでいる。実施例では、待機モードにおいては、ＳＵ−１中に、移動局２がホーム基地局１に対して在圏しランダムアクセスを行う上で必要な限定された情報であるＰＬＭＮ  ＩＤ、位置登録エリアＩＤ、位置登録エリアのみを含める。これにより、ホーム基地局１から他セルに対する干渉や、ホーム基地局１の消費電力を低減することができる。もっとも、待機モードにおいて、ＳＵ−１の情報要素を通常のＩＴＥ規格と同様にしてもよい。通常のＬＴＥでは、ＳＵ−１以外のＳＵが下りリンク共有チャネル（ＤＬ−ＳＣＨ）によって報知されるが、待機モードでは、ＳＵ−１以外のＳＵを生成しない構成としてもよい。また、ＳＵ−１もしくはＢＣＨに、システム情報送信モードを表す情報を含めてもよい。
【００３２】
一方、システム情報送信モードが通常モードである場合には、システム情報生成部１９は、この種の移動通信システムにおいて在圏移動局２との通信確立に必要な一般的なシステム情報を生成し、生成したシステム情報を送信部１３へ供給する。このシステム情報を第２のシステム情報とする。
【００３３】
図２は、移動局２の構成例を示す概略ブロック図である。移動局２は、受信部２１、セルサーチ部２２、接続権判定部２３、システム情報判定部２４、ランダムアクセス処理部２５、ランダムアクセスパラメータ記憶部２６、送信部２７、及びＲＲＣ制御部２８を有する。
【００３４】
受信部２１は、ホーム基地局１から送信される参照信号、同期信号、システム情報、データ、ランダムアクセス応答、ＲＲＣメッセージを受信する。受信部２１は、受信した参照信号と同期信号をセルサーチ部２２へ転送する。受信したＳＵ−１に含まれる位置登録エリアＩＤとセルＩＤは、接続権判定部２３に転送される。また、システム情報はシステム情報管理部２４へ転送され、ランダムアクセス応答はランダムアクセス処理部２５へ転送される。ＲＲＣ競合解決メッセージはＲＲＣ制御部２８へ転送される。
【００３５】
セルサーチ部２２は、受信部２１から参照信号と同期信号を受信する。セルサーチ部２２は、この種の移動通信システムで行われる一般的な方法によって、参照信号から伝搬路推定を行う。そして、得られた伝搬路情報から同期信号の同期検波を行って、セルサーチを行う。このセルサーチによって、ホーム基地局１と移動局２の間の同期が確立される。
【００３６】
接続権判定部２３は、当該移動局２がホーム基地局１のＣＳＧに含まれるか否かを判定する。接続権判定部２３は、受信部２１から受け取ったホーム基地局１の位置登録エリアＩＤとセルＩＤを、自身が保持する接続可能なホーム基地局の位置登録エリアＩＤ及びセルＩＤと照合して、ホーム基地局１へのアクセス権の判定を行う。
【００３７】
システム情報管理部２４は、受信部２１から受け取ったシステム情報及び／又はＳＵ−１の情報要素から、ホーム基地局１のシステム情報送信モードを判定する。すなわち、ＳＵ−１にセルアクセス規制状態（Cell barring status）、他のＳＵのスケジューリング情報、各ＳＩＢのＳＵへの配置情報等、移動局１がホーム基地局１へ在圏通知するために必須ではない情報が含まれていない場合は、待機モードと判定される。在圏通知に必須でない情報が含まれていれば、通常モードとして判定される。あるいは、システム情報管理部２４は、ＳＵ−１以外のＳＵが送信されていない場合に待機モードと判定し、送信されている場合には通常モードと判定してもよい。また、ＢＣＨもしくはＳＵ−１にシステム情報送信モードを表す情報が含まれている場合には、その値から判定してもよい。システム情報管理部２４は、必ずしも移動局２の必須の構成要素ではないが、ない場合は、ホーム基地局１が通常モードのときにホーム基地局１に対して在圏通知を行う可能性があり、余分な他セル干渉及び移動局２の電力消費の増大が発生するおそれがある。
【００３８】
また、システム情報管理部２４は、ESTABLISHMENT_CAUSEをシステム情報要求とするＲＲＣ接続でＲＲＣ接続設定完了メッセージを送信した後に、システム情報の受信を行う。そして、ホーム基地局１と通信を行う上で必要な全てのシステム情報を受信したかどうかの判定を行う。システム情報管理部２４は、必要な全てのシステム情報を受信できなかった場合には、システム情報送信モードを通常モードから待機モードへ変更して、変更したことをランダムアクセス処理部２５へ伝える。この場合、ランダムアクセス処理部２５は、在圏通知用の既定のランダムアクセスパラメータで、再度ランダムアクセスプリアンブルを生成する。
【００３９】
システム情報管理部２４は、必要な全てのシステム情報を受信したら、ホーム基地局１へシステム情報の受信が終了したことを知らせるシステム情報受信応答を生成して、送信部２７へ送信する。これによって、ホーム基地局１は、移動局２においてシステム情報が正常に受信されたことを認識でき、システム情報の送信を不必要に長く継続することを回避できる。別の構成として、ホーム基地局１は、移動局２においてシステム情報が正常に受信されたことをＡＲＱ（auto repeat request）やHybrid ＡＲＱにおけるＡＣＫを移動局２から受信することで認識してもよい。また、移動局２からシステム情報受信応答を送ることなく、ホーム基地局１で待機モードへ変更するか否かの判定を行ってもよい。その場合、モード変更要否は、たとえばシステム情報の通常送信開始からの経過時間、あるいはＢＣＨやＳＵの送信回数に基づいて判定することができる。
【００４０】
また、ランダムアクセス処理部２５は、ランダムアクセスパラメータ記憶部２６を参照して、ランダムアクセスに関する処理を行う。ランダムアクセス処理部２５は、システム情報管理部２４からシステム情報送信モードを読み込む。システム情報送信モードが待機モードである場合には、ランダムアクセスパラメータ記憶部２６に記憶された在圏通知用に既定されたランダムアクセスパラメータでランダムアクセスプリアンブルを生成して、送信部２７へ送信する。ランダムアクセスプリアンブルの送信後に、ホーム基地局１が送信するランダムアクセス応答を受信しない場合は、ランダムアクセス処理部２５は、通常のランダムアクセスと同様に、再度ランダムアクセスプリアンブルを生成して、送信部２７へ送信する。一方、受信部２１からランダムアクセス応答を受け取った場合は、その旨をＲＲＣ制御部２８へ通知する。
【００４１】
送信部２７は、ランダムアクセスプリアンブル、ＲＲＣメッセージ、システム情報受信応答、データをホーム基地局１へ送信する。
【００４２】
ＲＲＣ制御部２８は、ランダムアクセス処理部２５からランダムアクセス応答の通知を受けたなら、ＲＲＣ接続要求を生成する。通知されたランダムアクセス応答が、在圏通知に対するランダムアクセス応答である場合には、ＲＲＣ制御部２８は、ＲＲＣ接続要求の情報要素ESTABLISHMENT_CAUSEをシステム情報要求に設定する。ＲＲＣ接続要求には、移動局２の移動局ＩＤを含ませる。その他の情報要素については、この種の移動通信システムにおいて一般的な値に設定する。ＲＲＣ制御部２８は、ＲＲＣ接続要求を送信部２７へ送信する。また、ＲＲＣ制御部２８は、ＲＲＣ接続解放メッセージを受け取ったなら、ＲＲＣ接続解放完了メッセージを生成して送信部２７へ送信する。
【００４３】
図３Ａは、第１実施例の処理例１を示すシーケンス図である。図３Ａのシーケンスが開始される直前の状態として、ホーム基地局１のカバーエリア内で移動局２の電源が起動された状態、もしくは移動局２がどの基地局とも通信を行っていないアイドル状態でホーム基地局１のカバーエリアに移動してきた状態を想定している。システム情報送信モードとして、待機モードと通常モードを定義する。待機モードは、ＣＳＧに属している、すなわちホーム基地局に接続する権限のある移動局２がホーム基地局１に在圏していない場合のシステム情報送信モードである。通常モードは、ＣＳＧに属している移動局２がホーム基地局１に在圏している場合のシステム情報送信モードである。図３ＡのＳ１０１が行われる直前の状態として、ホーム基地局１のシステム情報送信モードは、待機モードである。
【００４４】
図３Ａにおいて、ホーム基地局１は、参照信号（ＲＳ：Reference Signal）と同期信号（ＳＣＨ：Synchronization Channel）を移動局２へ送信する（ステップＳ１０１）。移動局２は、この種の移動通信システムで行われる一般的な方法によって、参照信号から伝搬路推定を行う。そして、得られた伝搬路情報から同期信号の同期検波を行って、セルサーチを行う（ステップＳ１０２）。このセルサーチによって、ホーム基地局１と移動局２の間の同期が確立される。
【００４５】
ホーム基地局１は、第１のシステム情報として、ＢＣＨ（Broadcast Channel）、ＳＵ−１（Scheduling Unit-1）、参照信号を移動局２へ送信する（ステップＳ１０３）。待機モードでは、ＳＵ−１から他のＳＵのスケジューリング情報を省略して、移動局２がホーム基地局１に在圏してランダムアクセスを行う上で必要な情報であるＰＬＭＮ  ＩＤ、位置登録エリアＩＤ、セルＩＤのみを含めることで、ホーム基地局１の他セルへの干渉や消費電力を低減することができる。もっとも、待機モードでのＳＵ−１の情報要素を通常のＬＴＥ情報要素と同様にしてもよい。通常のＬＴＥでは、ＳＵ−１以外のＳＵがＤＬ−ＳＣＨによって報知されるが、待機モードにおいてＳＵ−１以外のＳＵを報知しない構成としてもよい。また、ＳＵ−１もしくはＢＣＨにシステム情報送信モードを表す情報を含めてもよい。
【００４６】
移動局２は、ＳＵ−１に含まれる位置登録エリアＩＤとセルＩＤを、自局が保持する接続可能なホーム基地局の位置登録エリアＩＤ及びセルＩＤと照合して、ホーム基地局１へのアクセス権の判定を行う（Ｓ１０４）。
【００４７】
移動局２は、システム情報送信モードの判定を行う（Ｓ１０５）。システム情報送信モードの判定は、ＳＵ−１の情報要素から行ってもよいし、ＳＵ−１以外のＳＵが送信されていない事実から、待機モードであると判定してもよい。また、ＢＣＨもしくはＳＵ−１にシステム情報送信モードを表わす情報が含まれている場合には、その値から判定してもよい。移動局２におけるシステム情報送信モードの判定は必須ではないが、システム情報送信モードを判定しない場合は、ホーム基地局１が通常モードのときにランダムアクセスでホーム基地局１に在圏通知を行う可能性が生じる。その場合、余分な他セル干渉が発生するおそれがある。
【００４８】
ホーム基地局１のシステム情報送信モードが待機モードであれば、移動局２はホーム基地局１に対して在圏通知を行い、ホーム基地局１のシステム情報送信モードを通常モードに変更する。移動局２は、在圏通知用に既定されたランダムアクセスパラメータを読み込む（Ｓ１０６）。
【００４９】
ここで、図４及び図５を参照して、ランダムアクセスパラメータの既定値の設定の例を説明する。一般的にＣＤＭＡ移動通信システムやＬＴＥにおいて、ランダムアクセスプリアンブルには、ＰＮ（Pseudo Noise）符号等によって生成された複数の系列がある。各プリアンブル系列は、ハンドオーバ、初期アクセス、間欠受信モードからの再開等の用途や、ランダムアクセスの品質に応じて割り当てられる。そして、割り当ての境界に関する情報が、基地局から報知される。例えば、１−７番目の系列はハンドオーバ用であり、８−１５番目の系列は初期アクセス用である場合には、７と８の間が境界であるという情報が報知される。
【００５０】
実施例では、複数のプリアンブル系列の中の１つをホーム基地局１の在圏通知用に特化させる。このようにすることで、待機モードのホーム基地局１は、在圏通知用のプリアンブル系列のみを検出すればよいので、検出処理が簡易になる。また、割り当ての境界に関する情報を報知する必要がなくなり、他セル干渉や電力消費を低減できる。
【００５１】
図４及び図５は、ランダムアクセスプリアンブルのリソースブロックへの配置例を示す図である。ここで、リソースブロックは、１つの周波数ブロックと１つのサブフレームによって区切られた情報が配置されるブロックである。ＬＴＥにおいて、ランダムアクセスプリアンブルに割り当てられるリソースブロックの数は、ランダムアクセスを試みる移動局の数等に応じて変更できる。例えば、ランダムアクセスを試みる移動局の数が少ない場合には、図４のように１無線フレーム内に１つのランダムアクセスプリアンブルが配置される。それより多い場合には、図５のように１無線フレーム内に２つのランダムアクセスプリアンブルが配置される。
【００５２】
ホーム基地局の場合には、接続可能な移動局数が限定されるケースが多いので、同時にランダムアクセスを行う移動局の数は少ないと考えられる。そこで、一例として、ランダムアクセスプリアンブルに割り当てられるリソースブロックが最も少ない配置（たとえば図４の配置）でのスケジューリング情報を、ホーム基地局１のランダムアクセスパラメータの既定値とする。これによって、ホーム基地局１は、待機モードにおいて、ランダムアクセスプリアンブルのスケジューリング情報を報知する必要がなくなり、他セル干渉や電力消費を低減できる。この場合、ランダムアクセス処理部１５は、待機モードにおいて、既定のリソースブロックに対してランダムアクセスプリアンブルの検出処理を行えばよい。なお、ランダムアクセスプリアンブルが配置されるリソースブロックの位置は、図４及び５に示した配置例に限定されないことに留意されたい。
【００５３】
図３Ａに戻って、移動局２は、在圏通知用の既定のランダムアクセスパラメータで既定系列のランダムアクセスプリアンブルをホーム基地局１へ送信する（Ｓ１０７）。そして、通常のランダムアクセスと同様に、ホーム基地局１が送信するランダムアクセス応答を受信しなければ、ランダムアクセスプリアンブルを再送する（Ｓ１０８）。
【００５４】
ホーム基地局１は、既定のリソースブロックにおいて、在圏通知用の既定のランダムアクセスプリアンブル系列のみを検出する（Ｓ１０９）。これによって、ランダムアクセスプリアンブルの検出処理が簡易になる。そして、ホーム基地局１は、システム情報送信モードを、待機モードから通常モードへ変更する（Ｓ１１０）。待機モードから通常モードへの変更は、移動局２がホーム基地局１と関連する位置登録エリアや関連する従来基地局のカバーエリアへ侵入したことを上位ノードがホーム基地局１へ通知して、それを契機に行われてもよい。
【００５５】
ホーム基地局１は、ランダムアクセス応答を送信する（Ｓ１１１）。ホーム基地局１がランダムアクセス応答を行うと、移動局２は、システム情報送信モードが通常モードへ変更されたことを迅速に認識することができる。ホーム基地局１からのランダムアクセス応答ステップＳ１１１は、省略可能である。その場合は、移動局２はＢＣＨに含まれるバリュータグ（Value tag）、あるいはＳＵ−１の情報要素からシステム情報送信モードを判定できる。また、移動局２は、ＳＵ−１以外のＳＵが送信されてきたことから、通常モードであると判定してもよいし、ＢＣＨもしくはＳＵ−１にシステム情報送信モードを表わす情報が含まれている場合には、その値からシステム情報送信モードを判定してもよい。Ｓ１１１を省略してホーム基地局１がランダムアクセス応答を行わない場合には、ホーム基地局１から他セルへの干渉やホーム基地局１での消費電力を低減できる。
【００５６】
ホーム基地局１は、通常モードでシステム情報の送信を開始する（Ｓ１１６）。つまり、ホーム基地局１は、ＳＵ−１の情報要素を全て報知し、ＳＵ−１以外のＳＵについても報知する。ここで送信されるシステム情報は、移動局２との間の通信確立に必要な第２のシステム情報である。
【００５７】
移動局２は、ホーム基地局１と通信を行う上で必要な全てのシステム情報を受信したかどうかの判定を行う（Ｓ１１７）。移動局２は、必要な全てのシステム情報を受信できなかった場合には、ステップＳ１０７に戻って（Ｓ１１８）、再度既定系列でランダムアクセスプリアンブルを送信する。移動局２は、必要な全てのシステム情報を受信したら、ホーム基地局１へシステム情報の受信が終了したことを知らせる応答を送信する（Ｓ１１９）。ホーム基地局１は、待機モードに戻る（Ｓ１２０）。
【００５８】
移動局２からホーム基地局１へのシステム情報受信応答に代えて、在圏通知とは別のランダムアクセスプリアンブルを用いてもよいし、何も送らない構成としてもよい。システム情報受信応答又は別のランダムアクセスプリアンブルを送る場合は、ホーム基地局１は、移動局２でシステム情報が正常に受信されたことを認識できるので、余剰にシステム情報の送信を継続することを回避できる。
【００５９】
移動局２がシステム情報受信応答を送らない場合は、ホーム基地局１で待機モードへ変更するかの判定を行なう。この場合、待機モードへの変更判定は、システム情報の通常送信開始からの経過時間や、ＢＣＨやＳＵの送信回数によって行うことができる。また、ホーム基地局１は、移動局２がホーム基地局１と関連のない位置登録エリアや関連のない従来基地局のカバーエリアへ侵入したことを上位ノードがホーム基地局１へ通知して、それを契機に待機モードへ移行してもよい。
【００６０】
このように、ホーム基地局１に移動局２が在圏していないときは、ホーム基地局１が報知する情報量を削減することで、無駄な電力消費を抑えるとともに他セルへ在圏する移動局への干渉を低減することができる。また、移動局２が在圏通知に特化した既定のランダムアクセスパラメータでランダムアクセスを行うことで、ホーム基地局１は、ランダムアクセスパラメータに関する情報を報知する必要がなくなり、また在圏通知のランダムアクセスの検出が容易となる。
【００６１】
図３Ｂは、第１実施例の処理例２を示すシーケンス図である。処理例２では、移動局２から送られてくるＲＲＣ接続要求に応じて、待機モードから通常モードへ移行する。この手法では、ホーム基地局１への接続が許可された移動局２からのアクセスに対してのみシステム情報送信モードが変更されるので、接続権限のない移動局２からのランダムアクセスによって、むやみにシステム情報送信モードが変更されるのを回避することができる。
【００６２】
ステップＳ１０１〜Ｓ１０９の既定系列のランダムアクセスプリアンブルの検出までは、図３Ａの処理例１と同様である。ホーム基地局１は、既定系列のランダムアクセスプリアンブルの検出後、すぐには通常モードへの変更は行わずに（図３ＡのＳ１１０を行わずに）、ランダムアクセス応答を返す（Ｓ１１１）。
【００６３】
移動局２は、ランダムアクセス応答を受信すると、情報要素ESTABLISHMENT_CAUSEをシステム情報要求に設定して、ＲＲＣ接続要求を送信する（Ｓ１１２）。ホーム基地局１は、ＲＲＣ接続要求に含まれる移動局ＩＤから、移動局２がＣＳＧに含まれるか否かを判定する（Ｓ１１３）。さらに、ＲＲＣ接続要求中のESTABLISHMENT_CAUSEから、システム情報送信モードを通常モードへ変更するかどうかの判定を行う（Ｓ１１４）。
【００６４】
移動局２がＣＳＧに含まれており、かつ、ESTABLISHMENT_CAUSEがシステム情報要求であれば、ホーム基地局１はシステム情報送信モードを通常モードへ変更する（Ｓ１１４）。これによって、接続権限のない移動局２からのランダムアクセスによって、システム情報送信モードが変更されるのを回避することができる。また、ホーム基地局１がランダムアクセスプリアンブルを誤検出して、システム情報送信モードが変更されるのを回避することができる。
【００６５】
続いて、ホーム基地局１は、ＲＲＣ競合解決メッセージを移動局２へ送信する（Ｓ１１５）。このステップＳ１１５は必須ではなく、ホーム基地局１からＲＲＣ競合解決メッセージを送信せずに、移動局２がＢＣＨに含まれるバリュータグ（Value tag）からシステム情報送信モードの判定を行ってもよい。あるいは、移動局２がＳＵ−１の情報要素からシステム情報送信モードの判定を行ってもよいし、ＳＵ−１以外のＳＵが送信されていることから、通常モードであると判定してもよい。ＢＣＨ又はＳＵ−１にシステム情報送信モードを表す情報が含まれている場合には、その値からシステム情報送信モードを判定してもよい。
【００６６】
Ｓ１１５を行って、ホーム基地局１からＲＲＣ競合解決メッセージを送信する場合は、移動局２は、システム情報送信モードが通常モードへ変更されたことを迅速に認識することができる。一方、ホーム基地局１がＲＲＣ競合解決メッセージを送信しない場合には、ホーム基地局１から他セルへの干渉や、ホーム基地局１での消費電力を低減できる。なお、移動局２から送られてくるＲＲＣ接続要求が、ESTABLISHMENT_CAUSEを利用してシステム情報を要求するものである場合には、実際にはＲＲＣ接続は確立しなくてもよい。
【００６７】
ホーム基地局１は、システム情報の通常送信を開始する（Ｓ１１６）。移動局２は、ホーム基地局１と通信を行う上で必要な全てのシステム情報を受信したか否かの判定を行う（Ｓ１１７）。必要な全てのシステム情報を受信できなかったときは、ステップＳ１０７に戻って（Ｓ１１８）、再度、既定系列でランダムアクセスプリアンブルを送信する。必要な全てのシステム情報を受信したら、移動局２はホーム基地局１にシステム情報受信応答を返す（Ｓ１１９）。ホーム基地局１は、待機モードに戻る（Ｓ１２０）。
【００６８】
システム情報受信応答は、ＡＲＱ（auto repeat request）やHybrid ＡＲＱにおけるＡＣＫであってもよい。また、移動局２からシステム情報受信応答を送らずに、ホーム基地局１で待機モードへの移行を判定してもよい。
【００６９】
ホーム基地局１は、ＲＲＣ接続を解放するために、ＲＲＣ接続解放メッセージを移動局２へ送信する（Ｓ１２１）。移動局２は、ホーム基地局１からＲＲＣ接続解放メッセージを受信したら、それに対する応答として、ＲＲＣ接続解放完了メッセージをホーム基地局１に送信する（Ｓ１２２）。ホーム基地局１がＲＲＣ接続解放完了メッセージを受信したら、ＲＲＣ接続の解放が完了する。
【００７０】
この処理例においても、ホーム基地局１に移動局２が在圏していないときの（待機モードでの）報知情報量を削減することができ、他セルへの干渉や、消費電力の無駄を低減することができる。また、既定のランダムアクセスパラメータを用いることで、ランダムアクセスパラメータに関する情報の報知が不要になるとともに、在圏通知のランダムアクセスの検出が容易になる。
【００７１】
＜第２の実施例＞
図６〜図８は、本発明の第２の実施例を示す図である。第２実施例では、移動局がホーム基地局に在圏する前は、ホーム基地局は、移動局がホーム基地局に在圏する上で必要なシステム情報のみを報知する。そして、移動局がホーム基地局に在圏した後、ホーム基地局は、個別制御チャネル（ＤＣＣＨ：Dedicated Control Channel）で残りのシステム情報を移動局へ送信する。この構成では、ホーム基地局に移動局が在圏しているときに、残りのシステム情報を周期的に報知する必要がなくなり、無駄な電力消費を抑え、他セルに在圏する移動局への干渉を低減することができる。
【００７２】
図６及び図７は、それぞれ第２実施例のホーム基地局３と移動局４の構成例を示す概略ブロック図である。図６において、ホーム基地局３は、参照信号生成部３１、同期信号生成部３２、送信部３３、受信部３４、ランダムアクセス処理部３５、システム情報制御部３６、ＲＲＣ制御部３７、接続権判定部３８を有する。
【００７３】
参照信号生成部３１は、移動局４が既知である参照信号を生成する。この参照信号は、移動局４が基地局からの信号の品質を測定するときや移動局４の伝搬路推定において用いられる。基地局からの信号の品質測定や伝搬路推定は、この種の移動通信システムで用いられる一般的な方法によって行われる。
【００７４】
同期信号生成部３２は、移動局４がホーム基地局３と同期を取る際に利用する同期信号を生成する。同期は、この種の移動通信システムで用いられる一般的な方法によって、移動局４とホーム基地局３の間で取られる。
【００７５】
送信部３３は、参照信号や同期信号、システム情報や移動局へのデータ、ランダムアクセス応答、ＲＲＣメッセージ等を移動局へ送信する。送信部３３は、ランダムアクセス処理部３５からランダムアクセス応答を受信したら、移動局４へランダムアクセス応答を送信する。また、ＲＲＣ制御部３７からＲＲＣメッセージを受信したら、移動局４へＲＲＣメッセージを送信し、システム情報制御部３６からシステム情報を受信したら、システム情報を報知し、又はＤＣＣＨで個別ユーザへ送信する。
【００７６】
受信部３４は、移動局４からランダムアクセスプリアンブルを受信して、ランダムアクセス処理部３５へ転送する。また、移動局４から受信するＲＲＣメッセージをＲＲＣ制御部３７へ転送し、移動局４から受信する受信完了メッセージをシステム情報制御部３６へ転送する。
【００７７】
ランダムアクセス処理部３５は、受信部３４から受け取ったランダムアクセスプリアンブルを検出して処理する。第２実施例においても、移動局４がランダムアクセスによりホーム基地局３に在圏を通知する際には、既定のパラメータでランダムアクセスを行う。これにより、ホーム基地局３は、ランダムアクセスパラメータに関するシステム情報の報知量を低減できる。また、ランダムアクセス処理部３５は、移動局４が在圏していないときは、既定のパラメータのランダムアクセスプリアンブル系列の検出のみを行えばよく、検出処理が簡易になる。移動局４の非在圏時に、既定のパラメータのランダムアクセスプリアンブル系列が検出された場合には、ランダムアクセス処理部３５は、システム情報制御部３６へ検出の報告を行う。一方、通常モードでは、ランダムアクセス処理部３５は、この種の移動通信システムで用いられる一般的な方法によって、ランダムアクセスプリアンブルの検出を行い、ランダムアクセスプリアンブルが検出されたら、ランダムアクセス応答を生成して、送信部３３へ送信する。
【００７８】
ランダムアクセス応答が移動局４で受信されると、ホーム基地局３と移動局４間におけるＤＣＣＨやＣＣＣＨ（Common Control Channel）上のメッセージの送受信を行うシグナリング無線ベアラ（ＳＲＢ：Signaling Radio Bearer）の設定が確立される。ランダムアクセスパラメータの既定値の定め方は、第１実施例で図４および図５を参照して述べたのと同様であり、ここでは説明を省略する。
【００７９】
システム情報制御部３６は、第１システム情報生成部３６ａにおいて、報知する限定されたシステム情報（第１のシステム情報）であるＢＣＨ（Broadcast Channel）、ＳＵ−１（Scheduling Unit-1）を生成する。一般に、ＬＴＥにおいてＳＵ−１は、ＰＬＭＮ  ＩＤ、位置登録エリアＩＤ、セルＩＤ、セルアクセス規制状態（Cell barring status）、他のＳＵ（Scheduling Unit）のスケジューリング情報、各ＳＩＢ（System Information Block）のＳＵへの配置情報を含んでいる。実施例では、待機モードにおいて、移動局４がホーム基地局３にランダムアクセスで在圏通知を行う上で必要な情報のみ、すなわち、ＰＬＭＮ  ＩＤ、位置登録エリアＩＤ、セルＩＤのみをＳＵ−１に含める。これにより、ホーム基地局３から他セルへの干渉や、ホーム基地局の消費電力を低減する。もっとも、ＳＵ−１の情報要素を通常のＬＴＥと同様にしてもよい。また、通常のＬＴＥでは、ホーム基地局３は、ＳＵ−１以外のＳＵを下りリンク共有チャネル（ＤＬ−ＳＣＨ）によって報知するが、本実施例では報知しない。
【００８０】
システム情報制御部３６は、ランダムアクセス処理部３５から、ランダムアクセスによる在圏通知の検出情報を得ると、第２システム情報生成部３６ｂにおいて、報知されている以外のシステム情報（第２のシステム情報）を生成して、個別制御チャネル（ＤＣＣＨ）で移動局４へ送信するように送信部３３に命令する。ＤＣＣＨで送るシステム情報には、在圏通知用以外の通常のランダムアクセス用のパラメータが含まれる。また、ＤＣＣＨで送るシステム情報には、報知しなかったＳＵ−１の情報要素や、ＳＵ−１以外のＳＵが含まれる。また、システム情報制御部３６がＲＲＣ制御部３７から移動局のキャパビリティ情報（UE Capability）を得て、移動局４の無線能力に合わせて必要な情報のみをシステム情報に含めてＤＣＣＨで送る構成としてもよい。
【００８１】
送信部３３へのＤＣＣＨ送信命令は、在圏通知用のランダムアクセスの応答後に移動局４がＲＲＣ接続要求をする構成を採用する場合には、移動局がシステム情報を要求しているという情報をＲＲＣ制御部３７から得た後に行われる。ＲＲＣ接続要求は、ホーム基地局３と移動局４の間の無線ベアラ（Radio Bearer）の設定が不要であるため、必ずしも実行しなくてもよいが、ＲＲＣ接続要求を行うことで、ＣＳＧ以外の移動局からの不正な在圏通知を受けて、報知していないシステム情報を不正な移動局へ送信する問題を未然に防ぐことができる。
【００８２】
システム情報制御部３６は、受信部３４からシステム情報の受信完了メッセージを一定期間受けなかった場合には、報知されている以外のシステム情報を、送信部３３へ再送する。システム情報制御部３６は、受信部３４からシステム情報の受信完了メッセージを受けとると、それ以上は、報知情報以外のシステム情報を送信部３３へ再送しない。
【００８３】
ＲＲＣ制御部３７は、ＲＲＣ接続要求等のＲＲＣメッセージを処理する。接続権判定部３８は、ＲＲＣメッセージ内の情報に基づいて、移動局４が接続権限を有するか否かを判定する。具体的には、ＲＲＣ制御部３７は、ＲＲＣ接続要求のESTABLISHMENT_CAUSEがシステム情報要求である場合は、その旨をシステム情報制御部３６へ報告する。また、ＲＲＣ制御部３７は、ＲＲＣメッセージに含まれるUE Capabilityをシステム情報制御部３６へ送信する。このUE Capabilityは、別の信号に含まれてもよい。UE Capabilityに関する処理は、必ずしも行わなくてもよいが、UE Capabilityを通知することで、ホーム基地局３は移動局４の無線能力を知ることができ、それに必要なシステム情報のみを送信できる。
【００８４】
ＲＲＣ制御部３７は、受信部３４からのＲＲＣ接続要求に含まれる移動局ＩＤを、接続権判定部３８へ送信する。接続権判定部３８は、受けとった移動局ＩＤと、ＣＳＧデータベース３８ａに記録された接続可能な移動局情報とから、移動局４がＣＳＧに含まれるか否かを判定し、判定結果をＲＲＣ制御部３７へ送信する。移動局４がＣＳＧに含まれる場合には、ＲＲＣ制御部３７は、ＲＲＣ競合解決メッセージを生成して送信部３３へ送信する。また、システム情報制御部３６からシステム情報受信完了通知を受け取ったら、ＲＲＣ接続解放メッセージを生成して、総支部３３へ送信する。ＲＲＣ接続解放完了メッセージを受信部３４から受け取ったら、ＲＲＣ接続を解放する。なお、接続権判定部３８は、ホーム基地局３の上位ノードに配置されてもよい。
【００８５】
図７は、移動局４の概略ブロック構成図である。移動局４は、受信部４１、セルサーチ部４２、接続権判定部４３、システム情報記憶部４４、ランダムアクセス処理部４５、ランダムアクセスパラメータ記憶部４６、送信部４７、ＲＲＣ制御部４８、及び移動局無線能力記憶部４９、を有する。
【００８６】
受信部４１は、ホーム基地局３が送信する参照信号、同期信号、システム情報、データ、ランダムアクセス応答、ＲＲＣメッセージを受信する。参照信号と同期信号は、セルサーチ部４２へ転送され、ＳＵ−１に含まれる位置登録エリアＩＤとセルＩＤは、接続権判定部４３へ送られる。システム情報はシステム情報記憶部４４へ、ランダムアクセス応答はランダムアクセス処理部４５へ、ＲＲＣメッセージはＲＲＣ制御部４８へ、それぞれ転送される。
【００８７】
セルサーチ部４２は、受信部４１から参照信号と同期信号を受信し、この種の移動通信システムで行われる一般的な方法によって、参照信号から伝搬路推定を行う。得られた伝搬路情報から同期信号の同期検波を行って、セルサーチを行う。このセルサーチによってホーム基地局３と移動局４の間の同期が確立される。
【００８８】
接続権判定部４３は、移動局４がホーム基地局３のＣＳＧに含まれるかを判定する。接続権判定部４３は、受信部４１からＳＵ−１に含まれる位置登録エリアＩＤとセルＩＤを受けとり、これらを自局が保持する接続可能なホーム基地局の位置登録エリアＩＤ及びセルＩＤと照合して、ホーム基地局３への接続権の判定を行う。
【００８９】
システム情報記憶部４４は、受信部４１から受け取ったホーム基地局３のシステム情報を記憶する。ホーム基地局３のシステム情報は、ＢＣＨやＳＵ−１で報知されるか、あるいはＤＣＣＨで個別ユーザへ通知される。
【００９０】
ランダムアクセス処理部４５は、ランダムアクセスパラメータ記憶部４６を参照して、ランダムアクセスに関する処理を行う。ランダムアクセス処理部４５は、接続権判定部４３から、ＢＣＨやＳＵ−１の送信元であるホーム基地局３に対する接続権があるという情報を受信したら、在圏通知用に既定されたランダムアクセスパラメータでランダムアクセスプリアンブルを生成して、送信部４７へ送信する。また、通常のランダムアクセスと同様に、ランダムアクセスプリアンブルの送信後に、ホーム基地局３からランダムアクセス応答を受信しない場合は、ランダムアクセスプリアンブルを再度生成して、送信部４７へ送信する。一方、受信部４１からランダムアクセス応答を受け取った場合は、その旨をＲＲＣ制御部４８へ通知する。移動局４がランダムアクセス応答を受信したら、ＳＲＢが一般的な方法によって確立される。
【００９１】
送信部４７は、ランダムアクセスプリアンブル、ＲＲＣメッセージ、システム情報受信完了メッセージ、データをホーム基地局３へ送信する。
【００９２】
ＲＲＣ制御部４８は、ＲＲＣメッセージを処理する。移動局無線能力記憶部４９は、当該移動局４の無線能力を表すUE Capabilityを記憶する。ＲＲＣ制御部４８は、ランダムアクセス処理部４５からランダムアクセス応答の通知を受けたら、ＲＲＣ接続要求を生成する。ランダムアクセス応答が、移動局４からの在圏通知に対するランダムアクセス応答である場合には、ＲＲＣ接続要求の情報要素ESTABLISHMENT_CAUSEをシステム情報要求に設定し、移動局ＩＤと、移動局無線能力記憶部４９から読み込んだUE Capabilityとを、ＲＲＣ接続要求に含ませる。ただし、UE Capabilityについては、別のＲＲＣメッセージに含ませて、別途ホーム基地局３へ送信してもよい。その他の情報要素については、この種の移動通信システムにおいて一般的な値に設定する。このように生成されたＲＲＣ接続要求は、送信部４７へ送信される。ＲＲＣ接続要求は、ホーム基地局３と移動局４の間の無線ベアラ（Radio Bearer）の設定が不要なので、必ずしも送信されなくてもよいが、ＲＲＣ接続要求を送信することで、ホーム基地局３がＣＳＧ以外の移動局からの不正な在圏通知に応じて、報知していないシステム情報を不正な移動局へ送信することを未然に防止できる。なお、ＲＲＣ接続要求を送信した場合は、ＲＲＣ制御部４８は、受信部４１からＲＲＣ接続解放メッセージを受け取ったなら、ＲＲＣ接続セットアップ完了通知を送信するＲＲＣ接続解放完了メッセージを生成して送信部４７に送出する。
【００９３】
図８は、第２実施例の処理例を示すシーケンス図である。図８のＳ２０１が行われる直前の状態として、移動局４がホーム基地局３と同期していない状態を想定する。ステップＳ２０１〜Ｓ２０４まで、すなわち、移動局４でセルサーチを行い、ホーム基地局３に対するアクセス権の有無を判定するステップまでは、第１実施例と同様である。ホーム基地局３からＳＵ−１以外のＳＵをＤＬ−ＳＣＨで報知しないことも同様である。
【００９４】
移動局４は、在圏通知用に既定されたランダムアクセスパラメータの読み込みを行う（Ｓ２０５）。ランダムアクセスパラメータの既定値の設定については、図４及び図５を参照して述べたとおりであるので、ここでは説明を省略する。
【００９５】
移動局４は、在圏通知用の既定のランダムアクセスパラメータで、既定系列のランダムアクセスプリアンブルをホーム基地局３へ送信する（Ｓ２０６）。その後、通常のランダムアクセスと同様に、ホーム基地局３からランダムアクセス応答を受信しない場合は、ランダムアクセスプリアンブルを再送する（Ｓ２０７）。
【００９６】
ホーム基地局３は、既定のリソースブロックにおいて、在圏通知用の既定のランダムアクセスプリアンブル系列のみを検出する（Ｓ２０８）。これによって、ランダムアクセスプリアンブルの検出処理が簡易になる。
【００９７】
ホーム基地局３は、ランダムアクセス応答を送信する（Ｓ２０９）。このとき、ホーム基地局３と移動局４間におけるＤＣＣＨやＣＣＣＨ上のメッセージの送受信のために、ＳＲＢの設定を一般的な方法によって確立する。
【００９８】
移動局４は、情報要素ESTABLISHMENT_CAUSEをシステム情報要求に設定してＲＲＣ接続要求を送信する（Ｓ２１０）。ホーム基地局３は、ＲＲＣ接続要求に含まれる移動局ＩＤから、移動局４がアクセス許可された加入者グループＣＳＧに含まれるかどうかを判定し（Ｓ２１１）、さらに、ＲＲＣ接続要求に含まれるESTABLISHMENT_CAUSEがシステム情報要求であるかを判定する（Ｓ２１２）。そして、ホーム基地局３は、ＲＲＣ接続要求に対する応答として、ＲＲＣ競合解決メッセージを移動局４へ送信する（Ｓ２１３）。
【００９９】
移動局４は、UE Capabilityをホーム基地局３へ通知する（Ｓ２１４）。UE Capabilityを通知することで、ホーム基地局３は移動局４の無線能力を知ることができ、その無線能力に応じた必要なシステム情報だけを送信できる。もっとも、UE Capabilityを送信しない構成とすることも可能である。ホーム基地局３は、UE Capabilityの受信に成功したら、移動局４へUE Capability受信完了メッセージを送信する（Ｓ２１５）。この受信完了メッセージは、レイヤ２のＡＣＫで代替してもよい。
【０１００】
ホーム基地局３は、ステップＳ２０１およびステップＳ２０３で報知した以外のシステム情報をＤＣＣＨで移動局４へ通知する（Ｓ２１６）。このように、トラヒックチャネルを利用しないため、無線ベアラ（Radio Bearer）設定は不要となる。ＤＣＣＨで移動局４へ送られるシステム情報には、在圏通知用ではない通常のランダムアクセス用のパラメータや、報知しなかったＳＵ−１の情報要素やＳＵ−１以外のＳＵが含まれる。UE Capabilityを受信した場合は、ＤＣＣＨで送るシステム情報には、移動局４の無線能力に合わせた必要な情報のみを含ませてもよい。
【０１０１】
移動局４は、システム情報の受信に成功したら、ホーム基地局３へシステム情報受信完了メッセージを送信する（Ｓ２１７）。この受信完了メッセージは、レイヤ２のＡＣＫで代替してもよい。
【０１０２】
ホーム基地局３は、ＲＲＣ接続を解放するために、ＲＲＣ接続解放メッセージを移動局４へ送信する（Ｓ２１８）。移動局４は、ホーム基地局３からＲＲＣ接続解放メッセージを受信したら、それに対する応答として、RRC接続解放完了メッセージをホーム基地局３へ送信する（Ｓ２１９）。ホーム基地局３がＲＲＣ接続解放完了メッセージを受信したら、ＲＲＣ接続の解放が完了する。
【０１０３】
第１実施例と同様に、ステップＳ２１０からステップＳ２１３（ＲＲＣ接続要求に基づくシステム情報送信の可否判断）と、ステップＳ２１８、Ｓ２１９（ＲＲＣ接続解放）については、ホーム基地局３と移動局４の間の無線ベアラ（Radio Bearer）の設定が不要であるため、必ずしも実行しなくてもよいが、ステップＳ２１０〜ステップ２１３、およびステップＳ２１８，Ｓ２１９を実行することで、ＣＳＧ以外の移動局からの不正な在圏通知を受けて、報知していないシステム情報を不正な移動局へ送信することを防ぐことができる。
【０１０４】
このように、ホーム基地局３に移動局４が在圏していないときは、ホーム基地局３が報知する情報量を削減することで、無駄な電力消費を抑えるとともに他セルへ在圏する移動局への干渉を低減することができる。さらに、移動局４がホーム基地局３に在圏した後、ホーム基地局３は、個別制御チャネルで残りのシステム情報を移動局へ送信するため、残りのシステム情報を周期的に報知する必要がなくなる。よって、第１の実施例よりもさらに無駄な電力消費と他セルへ在圏する移動局への干渉を低減することができる。
【０１０５】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【０１０６】
【図１】第１の実施例におけるホーム基地局の構成例を示す概略ブロック図である。
【図２】第１の実施例における移動局の構成例を示す概略ブロック図である。
【図３Ａ】第１の実施例における処理例１を示すシーケンス図である。
【図３Ｂ】第１の実施例における処理例２を示すシーケンス図である。
【図４】ランダムアクセスプリアンブルのリソースブロックへの配置例を示す図である。
【図５】ランダムアクセスプリアンブルのリソースブロックへの配置例を示す図である。
【図６】第２の実施例におけるホーム基地局の構成例を示す概略ブロック図である。
【図７】第２の実施例における移動局の構成例を示す概略ブロック図である。
【図８】第２の実施例における処理例を示すシーケンス図である。
【符号の説明】
【０１０７】
１、３                ホーム基地局
２．４                移動局
１１、３１            参照信号生成部（基地局側）
１２、３              同期信号生成部（基地局側）
１３、３３            送信部（基地局側）
１４、３４            受信部（基地局側）
１５、３５            ランダムアクセス処理部（基地局側）
１６                  システム情報送信モード制御部（基地局側）
１７、３７            ＲＲＣ制御部（基地局側）
１８、３８            接続権判定部（基地局側）
１９                  システム情報生成部（基地局側）
１９ａ                第１システム情報生成部
１９ｂ                第２システム情報生成部
２１、４１            受信部（移動局側）
２２、４２            セルサーチ部（移動局側）
２３、４３            接続権判定部
２４                  システム情報判定部
２５、４５            ランダムアクセス処理部
２６、４６            ランダムアクセスパラメータ記憶部
２７、４７            送信部
２８、４８            ＲＲＣ制御部
３６                  システム情報制御部（基地局側）
３６ａ                第１システム情報生成部
３６ｂ                第２システム情報生成部
４４                  システム情報記憶部（移動局側）
４９                  移動局無線能力記憶部（移動局側）
【図１】
0005065854.tif 000002
【図２】
0005065854.tif 000003
【図３Ａ】
0005065854.tif 000004
【図３Ｂ】
0005065854.tif 000005
【図４】
0005065854.tif 000006
【図５】
0005065854.tif 000007
【図６】
0005065854.tif 000008
【図７】
0005065854.tif 000009
【図８】
0005065854.tif 000010